【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
ヘリカルスキャン記録方法を基にした磁気テープ記録システムにおいて使用されるパイロットトーンをトラッキング制御するための検出装置であって、
記憶媒体から導出されたプレーバック信号に含まれる各パイロットトーンと相応のパイロットキャリアとを乗算することによって直交ミキシングが行われた後、ベースバンド内へ伝送された２つのパイロットトーンの振幅平方の差異が形成され、
その後、ローパスフィルタリングおよび平方され、
該回路には、第１パイロットトーンの振幅決定のためのブランチ（１）と、第１ブランチに対して並列な、第２パイロットトーンの振幅決定のためのブランチ（２）とが設けられており、
各パイロットトーンブランチ（１、２）は、乗算器（Ｍ１０、Ｍ１１；Ｍ２０、Ｍ２１）の直列接続と、ローパスフィルタ（ＬＰＦ１０、ＬＰＦ１１；ＬＰＦ２０、ＬＰＦ２１）と、平方器（Ｑ１０、Ｑ１１；Ｑ２０、Ｑ２１）とによってそれぞれ形成された２つの並列なサブブランチの形態であり、
乗算器（Ｍ１０，Ｍ１１；Ｍ２０，Ｍ２１）内で、記憶媒体に由来するプレーバック信号が、各パイロットトーンの周波数のパイロットキャリアと乗算され、
各サブブランチ内で用いられるパイロットトーンキャリアは、相互に９０°だけ位相シフトされて、クロック信号（Ｔ）の周波数分割によって発生され、
各サブブランチの結果が加算される形式のものにおいて、
クロック信号（Ｔ）を発生するため、周波数制御されるクロック発振器（ＶＣＯ）を有する回路が設けられており、
前記回路は、プレーバックの開始直後に、基準としてのクロック信号（Ｔ）の発生とともに使用され、
ローカル的に設けられた水晶（ＸＯ）が備えられており、クロック発振器（ＶＣＯ）が記憶媒体に由来するプレーバック信号に同期された後、水晶基準（ＸＯ）からプレーバック信号のデータクロックに切り替えられるように構成されていることを特徴とする、パイロットトーンのための検出回路。
【請求項２】
電圧制御発振器がクロック発生器（ＶＣＯ）として使用され、
前記電圧制御発振器は、位相検出器（ＰＤ）とともにフェーズロックループを形成する、請求項第１項記載の回路。
【請求項３】
クロック発振器（ＶＣＯ）のフリーランニング周波数は、ディジタル制御バス（ＣＢ）によって調節され、
水晶（ＸＯ）は、基準クロックを得るために使用され、
前記基準クロックは入力信号として、位相検出器（ＰＤ）の入力端に印加される、請求項２記載の回路。
【請求項４】
周波数制御されたクロック発振器（ＶＣＯ）の制御電圧（Ｕｃ）は回路の外部ピン（Ｐ）において取り出されて使用される、請求項２または３記載の回路。
【請求項５】
フェーズロックループ（ＰＬＬ）が、位相検出器（ＰＤ）の入力端に印加された入力信号の周波数を乗算する、請求項２から４までのいずれか１項記載の回路。
【請求項６】
クロック発振器（ＶＣＯ）のクロック信号（Ｔ）が、フェーズロックループ（ＰＬＬ）内でデバイダ（Ｄ）を通してフィードバックされる、請求項５記載の回路。
【請求項７】
２つのパイロットトーン周波数を発生させるためのデバイダ係数において４の係数が存在するように、クロック信号（Ｔ）の周波数が選択されている、請求項６記載の回路。
【請求項８】
「４」のデバイダ係数が最終段として接続され、相応するパイロットキャリアの０゜および９０゜の位相位置が２つのトーンのそれぞれに対して供給される、請求項７記載の回路。
【請求項９】
クロック信号（Ｔ）を発生させるための回路は、以下の３つの動作モード：
ｉ）  水晶（Ｘ）を基準として使用し、デバイダ（Ｄ）を通してクロック（Ｔ）をフィードバックさせることにより、記録されたトラックが発見され、発振器が調整されるＰＬＬ動作モードと、
ｉｉ）  特に特殊効果モードによって、到着したプレーバック信号のデータクロックと、プレーバック動作においてデバイダ（Ｄ）を通してのフィードバックとを用いるＰＬＬ動作モードと、
ｉｉｉ）  テープ速度を測定するために周波数検出器（ＦＤ）の助けを得て、水晶（ＸＯ）によって発生された周波数と、到着したプレーバック信号のクロックの周波数とを比較する動作モードとを有する、請求項１から８のうちいずれか１項記載の回路。
【請求項１０】
トラックから読み出されたプレーバック信号は、第１のローパスフィルタ（ＬＰＦ１）においてローパスフィルタリングされ、直交ミキシングされる、請求項１記載の回路。
【請求項１１】
直交ミキシングの上流に配置されたローパスフィルタ（ＬＰＦ１）は、３つのローパスフィルタ（ＬＰＦ１８、ＬＰＦ１９、ＬＰＦ２９）によって置換され、
第１のローパスフィルタ（ＬＰＦ１８）は、到着したプレーバック信号をフィルタリングし、
別のローパスフィルタ（ＬＰＦ１９，ＬＰＦ２０）はそれぞれ、相応するパイロットトーンブランチ（１，２）の前方に配置されており、
前記別のローパスフィルタ（ＬＰＦ１９，ＬＰＦ２０）は、各パイロットトーンの周波数（Ｆ１，Ｆ２）に適合される、請求項１０項記載の回路。
【請求項１２】
パイロットトーンブランチ（１，２）のローパスフィルタ（ＬＰＦ１０，ＬＰＦ１１，ＬＰＦ２０，ＬＰＦ２１）は集積回路上に配置されており、
前方のローパスフィルタ（ＬＰＦ１；ＬＰＦ１８，ＬＰＦ１９，ＬＰＦ２０）が外部に配置されている、請求項１０記載の回路。
【請求項１３】
全てのローパスフィルタ（ＬＰＦ１、ＬＰＦ１０、ＬＰＦ１１、ＬＰＦ２０、ＬＰＦ２１）が集積回路上に配置されている、請求項１０から１２までのいずれか１項記載の回路。
【請求項１４】
パイロットトーンブランチ（１，２）のローパスフィルタ（ＬＰＦ１０、ＬＰＦ１１、ＬＰＦ２０、ＬＰＦ２１）は、ＭＴＡ（ムービングタイムアベレージ；移動時間平均）フィルタとして設計されている、請求項１記載の回路。
【手続補正２】
【補正対象書類名】明細書
【補正対象項目名】００１８
【補正方法】変更
【補正の内容】
【００１８】
乗算器のローカル入力に存在する復調のためのパイロットトーンキャリアは、ローカルクロック信号Ｔから周波数分割によって発生させることが望ましく、このことは、一方ではローカル的に設けられた水晶による周波数において発生されるか、または記憶媒体からのシステムクロックと共に到達するデータ信号に同期させるかして、ローカルクロック信号として用いることが可能である。


【手続補正３】
【補正対象書類名】明細書
【補正対象項目名】００２１
【補正方法】変更
【補正の内容】
【００２１】
さらに、この回路はクロック発振器をプレーバック信号のシステムクロックに同期させるフェーズロックループの一部である、周波数制御されたクロック発振器および位相検出器を持つことが出来る。この場合には、ディジタル制御バスによって、そのフリーランニング周波数においてクロック発振器は調節されることが可能である。クロック発振器のフリーランニング周波数を調節するために、後に位相検出器の入力端に印加される、既知の周波数の水晶発振器からの基準クロックを用いることが出来る。次に周波数制御されたクロック発振器の制御電圧がこの場合、回路の外部ピンにおいて取り出されて使用される。都合よいことに、フェーズロックループは位相検出器の１つの入力端に現れる入力信号の周波数を乗算するので、クロックはデバイダを通してフィードバックされる。このクロック周波数は、２つのパイロットトーン周波数を発生させるためにデバイダ係数として４の係数が存在するように、都合よく選択される。この場合には、４のデバイダ係数は最終段として接続され、その結果信号発生器は０゜および９０゜の位相位置を持つパイロットトーンキャリアを、２つのパイロットトーンのそれぞれに供給することが出来る。


【手続補正４】
【補正対象書類名】明細書
【補正対象項目名】００２７
【補正方法】変更
【補正の内容】
【００２７】
信号発生器ＳＧ１およびＳＧ２の必要な周波数を発生させるため、信号発生器は、位相検出器ＰＤおよび周波数制御されたクロック発振器ＶＣＯを含むフェーズロックループ（ＰＬＬ）内で発生されるクロック周波数Ｔによって制御される。周波数制御されるクロック発振器は、そのフリーランニング周波数において、信号Ａｄによって、そしてディジタル制御バスＣＢによって調整されることが出来る。調整のために、既知周波数の水晶発振器からの基準クロックが位相検出器ＰＤの入力端Ｉに加えられる。ＰＬＬは、位相検出器ＰＤの入力Ｉに存在する入力信号の周波数を乗算し、この目的のためにデバイダＤが位相検出器ＰＤへの、クロック信号Ｔのフィードバックパス内に配置されることが出来る。